(57)【要約】【課題】画像ファイルの画像が表示装置に表示されない。【解決手段】画像転送装置は、複数の画像ファイルを格納した格納装置と通信する通信部と、前記格納装置とは別個に設けられ、複数の画像ファイル、及び、表示制御部によって前記複数の画像ファイルのそれぞれの画像を画面に表示させる表示順序の情報を記憶する記憶部と、前記記憶部から前記表示順序の情報を取得する順序取得部と、前記順序取得部により取得された前記情報に示された前記表示順序に対応する順序で、前記格納装置に格納されている前記複数の画像ファイルを前記記憶部へ、前記通信部により転送する転送制御部とを備える。【選択図】図３
2013201704.tif 000002
【特許請求の範囲】
【請求項１】
複数の画像ファイルを格納した格納装置と通信する通信部と、
前記格納装置とは別個に設けられ、複数の画像ファイル、及び、表示制御部によって前記複数の画像ファイルのそれぞれの画像を画面に表示させる表示順序の情報を記憶する記憶部と、
前記記憶部から前記表示順序の順序情報を取得する順序取得部と、
前記順序取得部により取得された前記順序情報に示された前記表示順序に対応する順序で、前記格納装置に格納されている前記複数の画像ファイルを前記記憶部へ、前記通信部により転送する転送制御部と
を備える画像転送装置。
【請求項２】
前記転送制御部が前記複数の画像ファイルを転送している状態で、前記表示順序が外部からの指示により変更されると、
前記順序取得部は、変更された前記表示順序の情報を取得して、
前記転送制御部は、前記複数の画像ファイルの残りを、変更された前記表示順序に対応する順序で前記記憶部へ転送する
請求項１に記載の画像転送装置。
【請求項３】
前記記憶部は、前記複数の画像ファイルをフォルダに対応付けて記憶し、
前記順序取得部は、前記画面に表示されている前記画像の画像ファイルに対応付けられた一のフォルダの情報を取得し、
前記転送制御部は、前記一のフォルダに転送される画像ファイルから転送する
請求項１または２に記載の画像転送装置。
【請求項４】
前記格納装置に代表画像を含む複数の画像ファイルが結合された複数の画像群ファイルが記憶されている場合であって、
前記転送制御部は、前記表示制御部により前記代表画像が優先的に表示されている場合、前記複数の画像群ファイルの前記代表画像から転送する
請求項１から請求項３のいずれか１項に記載の画像転送装置。
【請求項５】
前記表示制御部によって、前記複数の画像群ファイルのそれぞれに含まれる複数の画像ファイルの全てが表示されている場合、
前記転送制御部は、前記表示順序に対応する順序で各画像群ファイルの画像ファイルのそれぞれを転送する
請求項４に記載の画像転送装置。
【請求項６】
前記記憶部は、複数の画像ファイルのうち、表示させる画像の画像ファイルを絞り込む絞り込み情報を記憶して、
前記順序取得部は、前記絞り込み情報を取得して、
前記転送制御部は、前記順序取得部により取得された前記絞り込み情報及び前記順序情報に対応する順序で前記複数の画像ファイルを前記記憶部に転送する請求項１から請求項５のいずれか１項に記載の画像転送装置。
【請求項７】
コンピュータに画像転送処理を実行させるための画像転送プログラムであって、
複数の画像ファイル、及び、表示制御部によって前記複数の画像ファイルのそれぞれの画像を画面に表示させる表示順序の情報を記憶する記憶部から表示順序の情報を取得する順序取得機能と、
前記順序取得機能により取得された前記情報に示された前記表示順序に対応する順序で、前記記憶部とは別個に設けられた格納装置に格納されている前記複数の画像ファイルを前記記憶部へ、複数の画像ファイルを格納した前記格納装置と通信する通信部により転送する転送機能と
を実現させるための画像転送プログラム。
【請求項８】
複数の画像ファイル、及び、表示制御部によって前記複数の画像ファイルのそれぞれの画像を画面に表示させる表示順序の情報を記憶する記憶部から表示順序の情報を取得する順序取得段階と、
前記順序取得段階において取得された前記情報に示された前記表示順序に対応する順序で、前記記憶部とは別個に設けられた格納装置に格納されている前記複数の画像ファイルを前記記憶部へ、複数の画像ファイルを格納した前記格納装置と通信する通信部により転送する転送段階と
を備える画像転送方法。
【発明の詳細な説明】
【技術分野】
【０００１】
本発明は、画像転送装置、画像転送プログラム及び画像転送方法に関する。
【背景技術】
【０００２】
設定された表示順序で表示装置に表示させることを目的として、格納装置から別個の記憶部に複数の画像ファイルを転送する画像転送装置が知られている（例えば、特許文献１参照）。
特許文献１  特表２００９−５３１８７３
【発明の概要】
【発明が解決しようとする課題】
【０００３】
しかしながら、画像ファイルの転送が終了しないと、画像ファイルの画像が表示装置に表示されないといった課題がある。
【課題を解決するための手段】
【０００４】
本発明の第１の態様においては、複数の画像ファイルを格納した格納装置と通信する通信部と、前記格納装置とは別個に設けられ、複数の画像ファイル、及び、表示制御部によって前記複数の画像ファイルのそれぞれの画像を画面に表示させる表示順序の情報を記憶する記憶部と、前記記憶部から前記表示順序の情報を取得する順序取得部と、前記順序取得部により取得された前記情報に示された前記表示順序に対応する順序で、前記格納装置に格納されている前記複数の画像ファイルを前記記憶部へ、前記通信部により転送する転送制御部とを備える画像転送装置を提供する。
【０００５】
本発明の第２の態様においては、コンピュータに画像転送処理を実行させるための画像転送プログラムであって、複数の画像ファイル、及び、表示制御部によって前記複数の画像ファイルのそれぞれの画像を画面に表示させる表示順序の情報を記憶する記憶部から表示順序の情報を取得する順序取得機能と、前記順序取得機能により取得された前記情報に示された前記表示順序に対応する順序で、前記記憶部とは別個に設けられた格納装置に格納されている前記複数の画像ファイルを前記記憶部へ、複数の画像ファイルを格納した前記格納装置と通信する通信部により転送する転送機能とを実現させるための画像転送プログラムを提供する。
【０００６】
本発明の第３の態様においては、複数の画像ファイル、及び、表示制御部によって前記複数の画像ファイルのそれぞれの画像を画面に表示させる表示順序の情報を記憶する記憶部から表示順序の情報を取得する順序取得段階と、前記順序取得段階において取得された前記情報に示された前記表示順序に対応する順序で、前記記憶部とは別個に設けられた格納装置に格納されている前記複数の画像ファイルを前記記憶部へ、複数の画像ファイルを格納した前記格納装置と通信する通信部により転送する転送段階とを備える画像転送方法を提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】画像転送システム１０の全体構成図である。
【図２】撮像装置１２の全体構成のブロック図である。
【図３】画像転送装置１４の全体構成のブロック図である。
【図４】表示制御部３８による画像ファイルの画像の表示を説明する図である。
【図５】画像転送装置１４による画像転送方法を説明するフローチャートである。
【図６】ファイル名順の転送を説明する図である。
【図７】撮像日時順の転送を説明する図である。
【図８】拡張子順の転送を説明する図である。
【図９】フォルダ毎の転送を説明する図である。
【図１０】画像群ファイルの転送を説明する図である。
【図１１】画像群ファイルの転送の別の例を説明する図である。
【図１２】表示順序を転送中に変更した場合の転送を説明する図である。
【図１３】転送状態の画面表示を説明する図である。
【図１４】転送状態の別の画面表示を説明する図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、画像転送システム１０の全体構成図である。図１に示すように、画像転送システム１０は、撮像装置１２と、画像転送装置１４と、通信ケーブル１８とを有する。撮像装置１２は、画像を撮像して電気的な画像ファイルを生成して格納する。尚、画像ファイルは、静止画、動画を含む。画像転送装置１４の一例は、パーソナルコンピュータである。画像転送装置１４は、通信ケーブル１８を介して、撮像装置１２が格納した画像ファイルを転送して記憶するとともに、画像ファイルの画像を画像表示部１６に表示する。尚、画像転送装置１４は、無線通信によって、撮像装置１２から画像を転送してもよい。
【００１１】
図２は、撮像装置１２の全体構成のブロック図である。図２に示すように、撮像装置１２は、レンズ２０と、撮像素子２２と、画像処理部２４と、撮像制御部２６と、格納装置２８と、撮像通信部３０とを有する。
【００１２】
撮像素子２２は、ＣＣＤ（Charge Coupled Device）センサ、または、ＣＭＯＳ（Complementary Metal Oxide Semiconductor）センサ等の光電変換素子を有する。撮像素子２２は、レンズ２０を介して入射した被写体像を光電変換素子によって電気的なアナログ信号に変換して出力する。画像処理部２４は、撮像素子２２から入力されたアナログの信号を画像情報にデジタル変換して、撮像制御部２６へと出力する。
【００１３】
撮像制御部２６の一例は、ＣＰＵである。撮像制御部２６は、デジタル変換された画像情報を画像ファイルとして格納装置２８に格納する。格納装置２８の一例は、フラッシュメモリである。格納装置２８は、複数の画像ファイルを格納する。格納装置２８は、撮像装置１２と着脱可能に接続される。撮像制御部２６は、撮像通信部３０を介して、格納装置２８に格納された画像ファイルを画像転送装置１４へと送信する。撮像通信部３０は、画像転送装置１４と有線通信または無線通信によって情報を送受信する。情報の一例は、画像ファイルである。尚、格納装置２８は、撮像装置１２から取り外された状態で、カードリーダ等によって画像転送装置１４と接続されてもよい。
【００１４】
図３は、画像転送装置１４の全体構成のブロック図である。図３に示すように、画像転送装置１４は、通信部３４と、記憶部３６と、表示制御部３８と、順序取得部４０と、転送制御部４２と、入力部４４と、画像表示部１６とを有する。尚、表示制御部３８、順序取得部４０及び転送制御部４２は、１個または複数のＣＰＵに構成することができる。
【００１５】
通信部３４は、撮像装置１２の撮像通信部３０と有線通信または無線通信によって情報を送受信する。例えば、通信部３４は、撮像通信部３０を介して、格納装置２８と通信する。
【００１６】
記憶部３６は、格納装置２８とは、別個に設けられている。記憶部３６は、複数の画像ファイル、順序情報、及び、絞込み情報を記憶する。順序情報とは、表示制御部３８によって複数の画像ファイルのそれぞれの画像を画像表示部１６の画面に表示させる表示順序の情報である。表示順序の例は、ファイル名順、撮影日時順、ファイルサイズ順、拡張子順である。絞り込み情報は、複数の画像ファイルのうち、表示させる画像の画像ファイルを絞り込む情報である。絞り込み情報の例は、ユーザが画像ファイルに付与したレーティング情報、ラベル情報、画像ファイルの種類を示す種類情報である。ラベル情報とは、ユーザが複数の画像ファイルをグループ化した情報である。画像ファイルの種類とは、ＪＰＥＧ形式、ＮＥＦ形式（またはＮＲＷ形式）、動画等である。尚、ＮＥＦ形式とは、ＲＡＷ画像形式であって、未現像の形式の一例である。また、記憶部３６は、格納装置２８から記憶部３６へと画像ファイルを転送する画像転送プログラム、画像表示部１６に画像を表示する画像表示プログラムを記憶している。
【００１７】
表示制御部３８の機能は、画像表示部１６に画像を閲覧可能に表示して、ユーザの指示によって画像を整理するブラウザにより実現される。表示制御部３８は、記憶部３６に記憶された順序情報、及び、絞り込み情報に基づいて、画像ファイルの画像を画像表示部１６の画面に表示させる。
【００１８】
順序取得部４０は、表示制御部３８から順序情報及び絞り込み情報を取得して、転送制御部４２へと出力する。転送制御部４２は、順序取得部４０により取得された順序情報に対応する転送順序で、撮像装置１２の格納装置２８に格納されている複数の画像ファイルを記憶部３６へと通信部３４により転送する。順序情報に対応する転送順序の一例は、順序情報に一致する転送順序のことである。転送制御部４２は、絞り込み情報が設定されている場合、その絞り込み情報に対応させて転送順序を設定する。入力部４４は、ユーザによって外部から入力された指示を表示制御部３８に入力する。ユーザが入力する指示には、画像の順序情報、画像の絞り込み情報等が含まれる。
【００１９】
図４は、表示制御部３８による画像ファイルの画像の表示を説明する図である。図３に示すように、表示制御部３８は、画像表示部１６の画面に複数の画像を配列して縮小表示する。図４に示す例では、表示制御部３８は、画像ファイルのファイル名順に従って、画像ファイルＤ０５２．ＪＰＧ〜Ｄ０６９．ＪＰＧの画像を表示している。他の例では、表示制御部３８は、画像ファイルの撮影日時順、ファイルサイズ順、拡張子順等に従って画像を表示させることができる。
【００２０】
図５は、画像転送装置１４による画像転送方法を説明するフローチャートである。画像転送方法は、記憶部３６に記憶された画像転送プログラムが読み込まれることによって、実行される。順序取得部４０が、通信部３４を介して、撮像装置１２の格納装置２８から画像ファイルの情報を取得して、画像ファイルの一覧データベースを作成する（Ｓ１０）。画像ファイルの情報とは、各画像ファイルのファイル名、撮影日時、ファイルサイズ等である。
【００２１】
次に、順序取得部４０が、表示制御部３８の状態の情報を記憶部３６から取得する（Ｓ１２）。表示制御部３８の状態とは、画像ファイルの表示順序の設定、画像ファイルの絞り込みの設定、画面に表示されている画像ファイルが対応付けられているフォルダの情報等である。
【００２２】
次に、転送制御部４２が、表示制御部３８によって表示するために選択されているフォルダと、転送先のフォルダが同一か否かを判定する（Ｓ１４）。転送制御部４２は、選択されているフォルダと、転送先のフォルダが異なると判定すると（Ｓ１４：Ｎｏ）、表示制御部３８の選択フォルダから階層数の少ない順にフォルダの転送順を設定する（Ｓ１６）。一方、転送制御部４２は、選択されているフォルダと、転送先のフォルダとが同一であると判定すると（Ｓ１４：Ｙｅｓ）、ステップＳ１６を実行することなく、ステップＳ１８を実行する。
【００２３】
次に、転送制御部４２は、順序取得部４０が取得した表示制御部３８の状態から、絞り込みがＯＮか否かを判定する（Ｓ１８）。転送制御部４２は、絞り込みがＯＮであると判定すると（Ｓ１８：Ｙｅｓ）、絞り込まれている画像ファイルが優先的に転送されるように、絞り込みの内容を検索条件に設定する（Ｓ２０）。例えば、表示制御部３８が特定のレーティング以上の画像ファイルのみを表示するように絞込みが設定されている場合、当該レーティング以上の画像ファイルが優先的に検索されるように検索条件が設定される。一方、転送制御部４２は、絞込みがＯＦＦであると判定すると（Ｓ１８：Ｎｏ）、ステップＳ２０を実行することなく、ステップＳ２２を実行する。
【００２４】
次に、転送制御部４２は、順序取得部４０が取得した表示制御部３８の状態に含まれる表示順序の内容を検索条件に設定する（Ｓ２２）。例えば、表示順序がファイル名順に設定されている場合、画像ファイルがファイル名順に検索されるように検索条件が設定される。
【００２５】
次に、転送制御部４２は、検索及び転送順を設定する（Ｓ２４）。例えば、転送制御部４２は、表示制御部３８が特定のレーティング以上の画像ファイルのみをファイル名順に表示するように設定されている場合、特定のレーティング以上の画像ファイルをファイル名順に検索の順序及び転送の順序を設定する。
【００２６】
転送制御部４２は、検索及び転送順に基づいて、画像ファイルを撮像装置１２の格納装置２８から記憶部３６へと転送する（Ｓ２６）。
【００２７】
次に、図面を参照して、転送順について説明する。図６は、ファイル名順の転送を説明する図である。表示制御部３８がファイル名の昇順で画像を表示している場合、順序取得部４０が取得する順序情報はファイル名の昇順となる。従って、図６に示すように、転送制御部４２は、格納装置２８に格納されている画像ファイルをファイル名順に記憶部３６へと転送する。即ち、転送制御部４２は、画像ファイルＤ１０１．ＪＰＧを最初に転送して、その後、画像ファイルＤ１０２．ＪＰＧ、Ｄ１０３．ＪＰＧ、Ｄ１０４．ＪＰＧ・・・の順で転送する。
【００２８】
図７は、撮像日時順の転送を説明する図である。図７において、画像ファイルを示す長方形内に記載の数字は撮影日を示す。表示制御部３８が撮影日時順に画像を表示している場合、転送制御部４２は、図７の上図に示すように、撮影日時順に画像ファイルを格納装置２８から記憶部３６に転送する。即ち、最も早い撮影日である２０１１年１月２３日の画像ファイルＤ２０１．ＪＰＧを最初に転送して、その後、画像ファイルＤ２０２．ＪＰＧ、Ｄ２０３．ＪＰＧ、Ｄ２０４．ＪＰＧ・・・の順で転送する。ここで、ユーザの設定によって、表示制御部３８が表示している画像の撮影日時以降、または、画面の最上列に表示している画像の撮影日時以降の画像ファイルを、転送制御部４２が優先的に転送するように構成してもよい。例えば、表示制御部３８が２０１１年２月１１日に撮影された画像を表示している場合、転送制御部４２は、その撮影日以降に撮影された画像ファイルのうち、最も撮影日時の早い２０１１年２月１１日に撮影された画像ファイルＤ２０２．ＪＰＧを最初に転送する。その後、転送制御部４２は、撮影日時順に従って、画像ファイルＤ２０３．ＪＰＧ、Ｄ２０４．ＪＰＧ・・・の順で転送する。そして、転送制御部４２は、最も撮影日時の新しい画像ファイルを転送した後、２０１１年２月１１日以前に撮影された画像ファイルを撮影日時順に転送する。
【００２９】
図８は、拡張子順の転送を説明する図である。撮像装置１２は、一度の撮像によって、ＮＥＦ形式の画像ファイルと、ＪＰＥＧ形式の画像ファイルを作成して、同時記録するモードに設定されているとする。図８の上図に示すように、格納装置２８には、同じ画像であって、ファイル形式の異なる画像ファイル、例えば、Ｄ３０１．ＮＥＦとＤ３０１．ＪＰＧが複数組格納されている。表示制御部３８が、ＮＥＦ形式の画像ファイルのみを画面に表示、または、ＮＥＦ形式の画像ファイルを優先的に画面に表示しているとする。この場合、転送制御部４２は、ＮＥＦ形式の画像ファイルを例えばファイル名順に格納装置２８から記憶部３６に先に転送して、その後、ＪＰＧ形式の画像ファイルをファイル名順に転送する。尚、ファイル名順の代わりにファイルサイズ順、撮影日時順であってもよい。
【００３０】
図９は、フォルダ毎の転送を説明する図である。図９に示す例では、格納装置２８及び記憶部３６に記憶されている複数の画像ファイルが複数のフォルダのいずれかに対応付けられているとする。撮像装置１２において、フォルダは、撮影日毎に作成してもよく、適宜変更してよい。例えば、転送制御部４２が、２０１１年２月１１日に撮影された画像ファイル用としてフォルダＦｄ０３を作成して、２０１１年２月１３日に撮影された画像ファイル用としてフォルダＦｄ０４を作成してもよい。尚、格納装置２８のフォルダに対応するフォルダが記憶部３６にない場合、転送制御部４２が対応するフォルダを記憶部３６に作成する。
【００３１】
フォルダ毎に画像ファイルを転送する場合、表示制御部３８が画面に表示させている画像のフォルダを転送先とする画像ファイルを、転送制御部４２が優先的に転送してもよい。例えば、表示制御部３８が、図９にハッチングで示すフォルダＦｄ０６の画像ファイルの画像を画面に表示させているとする。この状態で、ユーザが格納装置２８のフォルダＦｄ００の全てを転送するように設定したとする。尚、図９の右図に丸数字は、フォルダの転送順序を示す。この場合、順序取得部４０は、画面に表示されている画像の画像ファイルのフォルダＦｄ０６のフォルダ情報を取得する。転送制御部４２は、記憶部３６のフォルダＦｄ０６に転送される格納装置２８のフォルダＦｄ０６の画像ファイルから転送する。尚、格納装置２８のフォルダＦｄ０６に対応付けられている画像ファイルが複数の場合、それらの画像ファイルは画面に表示されている順、例えばファイル名順に転送される。
【００３２】
転送制御部４２は、格納装置２８のフォルダＦｄ０６に対応付けられた全ての画像ファイルの転送が終了すると、次に、フォルダＦｄ０６が対応付けられているフォルダＦＤ０２に対応付けられた同じ階層のフォルダＦＤ０５、ＦＤ０７に対応付けられている画像ファイルを転送する。転送制御部４２は、フォルダＦＤ０２に対応付けられた全ての画像ファイルの転送が終了すると、フォルダＦＤ０１に対応付けられたフォルダＦＤ０３、ＦＤ０４の画像ファイルを転送する。尚、転送制御部４２は、フォルダの階層状態を保持しつつ、画像ファイルを転送する。
【００３３】
図１０は、画像群ファイルの転送を説明する図である。画像群ファイルは、代表画像ファイルを含む複数の画像ファイルが結合されている。画像群ファイルの一例は、マルチピクチャーフォーマットによるファイルである。例えば、図１０の左図に示すように、画像群ファイルＤ４０．ＭＰＯは、５個の画像ファイルＤ４０１．ＪＰＧから画像ファイルＤ４０５．ＪＰＧが結合されている。画像群ファイルＤ４０．ＭＰＯの代表画像ファイルは、画像ファイルＤ４０３．ＪＰＧとする。代表画像ファイルは、ユーザが選択した画像ファイルであってもよく、露出等が最適な画像ファイルを撮像装置１２が選択して設定してもよい。図１０では、各画像群ファイルの代表画像ファイルをハッチングで示す。複数の画像群ファイルが、格納装置２８に記憶されている。
【００３４】
表示制御部３８が、画像群ファイルの代表画像を優先的に画面に表示している場合、転送制御部４２は、各画像群ファイルから代表画像を抽出して、代表画像から先に転送する。ここで、画像群ファイルのファイル名順に代表画像を転送する。転送制御部４２は、全ての代表画像の転送を終了すると、画像群ファイルに含まれる残りの画像ファイルを順次転送する。ここでも、表示制御部３８が、画像群ファイルのファイル名順に代表画像を表示している場合、転送制御部４２は、画像群ファイルのファイル名順に残りの画像ファイルが転送される。この後、転送制御部４２は、代表画像とそれ以外の画像ファイルを結合させて画像群ファイルを生成する。尚、転送制御部４２は、代表画像の転送を終了した後、代表画像を含む画像群ファイルの状態で転送してもよい。
【００３５】
図１１は、画像群ファイルの転送の別の例を説明する図である。表示制御部３８が、画像群ファイルのそれぞれに含まれる全ての画像ファイルを画面に表示可能な枚数だけ表示しているとする。図１１に示す転送の例では、転送制御部４２は、画像群ファイル毎に転送する。ここで、転送制御部４２は、表示順序に対応する順序で、各画像群ファイルの画像ファイルのそれぞれを転送する。ここで、表示制御部３８が、代表画像を先頭に表示して、その後、残りの画像ファイルをファイル名順に表示しているとする。この設定において、転送制御部４２は、画像群ファイルＤ４０．ＭＰＯを転送する場合、最初に代表画像ファイルＤ４０３．ＪＰＧした後、ファイル名順に画像ファイルＤ４０１．ＪＰＧ、Ｄ４０２．ＪＰＧ、Ｄ４０４．ＪＰＧ、Ｄ４０５．ＪＰＧを転送する。この後、転送制御部４２は、画像群ファイルＤ４１．ＭＰＯの代表画像ファイルＤ４１２．ＪＰＧを転送後、画像群ファイルＤ４１．ＭＰＯの残りの画像ファイルを転送する。
【００３６】
図１２は、表示順序を転送中に変更した場合の転送を説明する図である。転送制御部４２は複数の画像ファイルを転送している状態で、表示順序が外部からの指示によって変更された場合、転送順序を変更してもよい。図１２に示す例では、最初、表示制御部３８による画像の表示順序がファイル名順とする。この状態で、転送制御部４２が転送を開始すると、ファイル名順に従って、最初に画像ファイルＤ６０１．ＪＰＧ、Ｄ６０２．ＪＰＧが転送される。この段階で、ユーザが、入力部４４を操作して、表示制御部３８による表示順序をファイルサイズ順に変更したとする。順序取得部４０は、この変更された表示順序の順序情報を取得して、転送制御部４２へと出力する。転送制御部４２は、残りの複数の画像ファイルの転送順序を、変更された表示順序に対応させて変更する。即ち、転送制御部４２は、残りの画像ファイルのうち、最もファイルサイズの小さい画像ファイルＤ６０４．ＪＰＧを、次に転送する。この後、転送制御部４２は、残りの画像ファイルをファイルサイズの小さい順に転送する。
【００３７】
また、画像転送装置１４がＧＰＳ（Global Positioning System）モードに設定されて、地図が表示されている場合、転送制御部４２は、ＧＰＳ情報が埋め込まれている画像ファイルを優先的に転送してもよい。更に、転送制御部４２は、画像表示部１６に表示されている地図の近傍を示すＧＰＳタグが埋め込まれている画像ファイルを優先的に転送してもよい。特に、表示制御部３８が、地図上の特定の場所からの距離順に画像を表示している場合に、ＧＰＳ情報に基づく転送は有効である。
【００３８】
また、上述した実施形態における表示順序を設定するための情報、絞り込みを設定するための情報は適宜変更してもよい。更に、上述した転送順序の設定方法は組み合わせてもよい。
【００３９】
図１３は、転送状態の画面表示を説明する図である。表示制御部３８が、図１３に示す転送状態画面５０を画像表示部１６の画面に表示するように構成してもよい。転送バー５２は、転送終了領域５４と、表示可能バー５６と、転送予定の総数を示す総数領域５８とを含む。転送終了領域５４は、転送が終了した画像ファイルの個数を示す。従って、転送終了領域５４は、転送前は表示されず、転送が進行するに連れて、右側に伸びる。表示可能バー５６は、画面に表示可能な画像の枚数を示す。従って、表示可能バー５６は、表示制御部３８による表示可能枚数が変更されない限り、固定される。転送終了領域５４が表示可能バー５６に達するまで、表示制御部３８により画面に表示される画像が増える。転送終了領域５４が表示可能バー５６を越えると、表示される画像が変化しなくなる。しかし、ユーザは、転送終了領域５４が進行することを見て、画像ファイルの転送が継続されていることを認識できる。転送終了領域５４が、右端に達して、総数領域５８と一致すると、ユーザは転送が終了したことを認識できる。
【００４０】
図１４は、転送状態の別の画面表示を説明する図である。尚、表示制御部３８が、８枚のＮＥＦ形式の画像ファイルの画像のみを表示可能に設定されているとする。また、転送制御部４２は、１０個のＮＥＦ形式の画像ファイルを先に転送した後、１０個のＪＰＥＧ形式の画像ファイルを転送するものとする。図１４に示す転送状態画面１５０の転送バー１５２は、転送終了領域１５４と、表示バー１５６と、総数領域１５８とを含む。
【００４１】
表示バー１５６は、転送終了領域１５４の右端との間で表示可能枚数である８枚に対応する間隔を保ちつつ、右に進行する。そして、表示バー１５６は、ＮＥＦ形式の転送が終了すると、右への移動を終了する。従って、表示バー１５６は、転送バー１５２において、１８枚目に相当する個所で停止する。これにより、ユーザは転送終了領域１５４と表示バー１５６との間隔で表示可能枚数を認識できる。また、ユーザは表示バー１５６が停止したことにより、ＮＥＦ形式の画像ファイルの転送が終了したことを認識できる。更に、ユーザは、転送終了領域１５４が表示バー１５６に達したことにより、画面に表示されている８枚のＮＥＦ形式と同じ画像の８枚のＪＰＥＧ形式の画像ファイルが転送されたことを認識できる。
【００４２】
上述したように、画像転送装置１４では、転送制御部４２が表示制御部３８の表示順序に対応する順序で転送している。これにより、表示制御部３８は、転送されている画像ファイルを表示順序に沿って順次表示することができる。この結果、大量枚数を転送する場合であっても、ユーザは、転送終了まで待つことなく、設定された表示順序に並べられた画像を見ることができる。
【００４３】
転送制御部４２は、ユーザが見ている画像に対応させて画像ファイルを転送することができる。例えば、転送制御部４２は、ユーザが見ている画像の撮影日時以降に撮影された画像を優先的に転送できる。また、転送制御部４２は、ユーザが見ている画像に対応付けられたフォルダに対応付けられた他の画像ファイルを優先的に転送できる。これにより、転送制御部４２は、ユーザが見る確率の高い画像ファイルを優先的に転送することができる。これに伴って、表示制御部３８は、ユーザが希望する画像を優先的に表示できる。
【００４４】
転送制御部４２は、順序取得部４０が取得した表示順序の順序情報に対応させて転送順序を設定する。これにより、ユーザは、転送させるために順序を設定する必要がないので、画像転送装置１４は、転送操作を簡易化することができる。
【００４５】
転送制御部４２は、表示制御部３８による表示順序が転送中に変更されると、その変更に対応させて、転送されていない画像ファイルの転送順序を表示順序に対応させて変更する。これにより、表示制御部３８は、変更された表示順序に対応させて迅速に表示を変更することができる。また、ユーザは表示順序を変更することによって、転送中に転送順序を変更させることができる。これにより、ユーザは転送を停止させることなく、転送順序を変更できる。
【００４６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４８】
１０  画像転送システム
１２  撮像装置
１４  画像転送装置
１６  画像表示部
１８  通信ケーブル
２０  レンズ
２２  撮像素子
２４  画像処理部
２６  撮像制御部
２８  格納装置
３０  撮像通信部
３４  通信部
３６  記憶部
３８  表示制御部
４０  順序取得部
４２  転送制御部
４４  入力部
５０  転送状態画面
５２  転送バー
５４  転送終了領域
５６  表示可能バー
５８  総数領域
１５０  転送状態画面
１５２  転送バー
１５４  転送終了領域
１５６  表示バー
１５８  総数領域
【図１】
2013201704.tif 000003
【図２】
2013201704.tif 000004
【図３】
2013201704.tif 000005
【図４】
2013201704.tif 000006
【図５】
2013201704.tif 000007
【図６】
2013201704.tif 000008
【図７】
2013201704.tif 000009
【図８】
2013201704.tif 000010
【図９】
2013201704.tif 000011
【図１０】
2013201704.tif 000012
【図１１】
2013201704.tif 000013
【図１２】
2013201704.tif 000014
【図１３】
2013201704.tif 000015
【図１４】
2013201704.tif 000016